【手続補正書】
【提出日】平成27年8月3日(2015.8.3)
【手続補正１】
【補正対象書類名】特許請求の範囲
【補正対象項目名】全文
【補正方法】変更
【補正の内容】
【特許請求の範囲】
【請求項１】
第１の方向に第１の解像度のテキストの情報を含む第１の画像データを取得する画像データ取得部と、
前記画像データ取得部で取得された前記第１の画像データに含まれる前記テキストの情報を解析するテキスト解析部と、
前記テキスト解析部で解析された解析結果に基づいて、前記第１の方向に前記第１の解像度と異なる第２の解像度の前記テキストの情報を含む第２の画像データを生成する画像データ生成部と、
を備えることを特徴とする画像処理装置。
【請求項２】
前記テキスト解析部で解析された前記解析結果に基づいて、プリンターに印刷させる印刷コマンドを生成する印刷コマンド生成部を備える請求項１に記載の画像処理装置。
【請求項３】
前記第１の方向に前記第１の解像度とは異なる解像度のロゴ画像データを記憶するロゴ画像データ記憶部と、
前記第１の画像データに含まれるロゴ画像データの有無を解析するロゴ解析部と、を備え、
前記ロゴ解析部で前記第１の画像データに含まれるロゴ画像データが有ると解析されたとき、
前記画像データ生成部は、前記第１の画像データに含まれるロゴデータ画像データを前記ロゴ画像データ記憶部に記憶されたロゴ画像データに置換し、前記第２の画像データを生成する請求項１または２に記載の画像処理装置。
【請求項４】
前記画像データ生成部は、前記ロゴ画像データ記憶部に記憶されたロゴ画像データを前記第２の解像度に対応したロゴ画像データに変換し、前記第１の画像データに含まれるロゴデータ画像データを、前記第２の解像度に対応したロゴ画像データに置換する請求項３に記載の画像処理装置。
【請求項５】
前記画像データ取得部で取得される前記第１の画像データは、前記第１の方向に第１の幅の記録紙に印刷される画像データであり、
前記画像データ生成部で生成される前記第２の画像データが前記第１の方向に前記第１の幅と異なる第２の幅の記録紙に印刷される画像データであるとき、前記画像データ生成部は、前記第２の画像データを前記第２の幅に対応させて生成する請求項１ないし４のいずれか１項に記載の画像処理装置。
【請求項６】
前記画像データ生成部は、前記テキスト解析部で解析された前記解析結果に基づいて、前記第２の画像データとは異なる第３の画像データを生成する請求項１ないし５のいずれか１項に記載の画像処理装置。
【請求項７】
第１の方向に第１の解像度のテキストの情報を含む第１の画像データを生成するアプリケーションを実行させる実行部、前記アプリケーションで生成された前記第１の画像データを取得する画像データ取得部、前記画像データ取得部で取得された前記第１の画像データに含まれる前記テキストの情報を解析するテキスト解析部、前記テキスト解析部で解析された解析結果に基づいて前記第１の方向に前記第１の解像度と異なる第２の解像度の前記テキストの情報を含む第２の画像データを生成する画像データ生成部、および前記画像データ生成部で生成された前記第２の画像データを送信する送信部を有する画像処理装置と、
前記画像処理装置の前記送信部で送信された前記第２の画像データを受信する受信部、前記第１の方向に前記第２の解像度で印刷を行う印刷ヘッド、および前記受信部で受信された前記第２の画像データを前記印刷ヘッドで印刷させる制御部を有するプリンターと、
を備えることを特徴とする画像処理システム。
【請求項８】
第１の方向に第１の解像度のテキストの情報を含む第１の画像データを生成し、
生成された前記第１の画像データに含まれる前記テキストの情報を解析し、
解析結果に基づいて、前記第１の方向に前記第１の解像度と異なる第２の解像度の解析された前記テキストの情報を含む第２の画像データを生成し、
生成された前記第２の画像データを前記第２の解像度で印刷することを特徴とする印刷方法。
【手続補正２】
【補正対象書類名】明細書
【補正対象項目名】０００６
【補正方法】変更
【補正の内容】
【０００６】
本発明の画像処理装置は、第１の方向に第１の解像度のテキストの情報を含む第１の画像データを取得する画像データ取得部と、画像データ取得部で取得された第１の画像データに含まれるテキストの情報を解析するテキスト解析部と、テキスト解析部で解析された解析結果に基づいて、第１の方向に第１の解像度と異なる第２の解像度のテキストの情報を含む第２の画像データを生成する画像データ生成部と、を備えることを特徴とする。
上記の画像処理装置において、テキスト解析部で解析された解析結果に基づいて、プリンターに印刷させる印刷コマンドを生成する印刷コマンド生成部を備えることを特徴とする。
上記の画像処理装置において、第１の方向に第１の解像度とは異なる解像度のロゴ画像データを記憶するロゴ画像データ記憶部と、第１の画像データに含まれるロゴ画像データの有無を解析するロゴ解析部と、を備え、ロゴ解析部で第１の画像データに含まれるロゴ画像データが有ると解析されたとき、画像データ生成部は、第１の画像データに含まれるロゴデータ画像データをロゴ画像データ記憶部に記憶されたロゴ画像データに置換し、第２の画像データを生成することを特徴とする。
上記の画像処理装置において、画像データ生成部は、ロゴ画像データ記憶部に記憶されたロゴ画像データを第２の解像度に対応したロゴ画像データに変換し、第１の画像データに含まれるロゴデータ画像データを、第２の解像度に対応したロゴ画像データに置換することを特徴とする。
上記の画像処理装置において、画像データ取得部で取得される第１の画像データは、第１の方向に第１の幅の記録紙に印刷される画像データであり、画像データ生成部で生成される第２の画像データが第１の方向に第１の幅と異なる第２の幅の記録紙に印刷される画像データであるとき、画像データ生成部は、第２の画像データを第２の幅に対応させて生成することを特徴とする。
上記の画像処理装置において、画像データ生成部は、テキスト解析部で解析された解析結果に基づいて、第２の画像データとは異なる第３の画像データを生成することを特徴とする。
本発明の画像処理システムは、第１の方向に第１の解像度のテキストの情報を含む第１の画像データを生成するアプリケーションを実行させる実行部、アプリケーションで生成された第１の画像データを取得する画像データ取得部、画像データ取得部で取得された第１の画像データに含まれるテキストの情報を解析するテキスト解析部、テキスト解析部で解析された解析結果に基づいて第１の方向に第１の解像度と異なる第２の解像度のテキストの情報を含む第２の画像データを生成する画像データ生成部、および画像データ生成部で生成された第２の画像データを送信する送信部を有する画像処理装置と、画像処理装置の送信部で送信された第２の画像データを受信する受信部、第１の方向に第２の解像度で印刷を行う印刷ヘッド、および受信部で受信された第２の画像データを印刷ヘッドで印刷させる制御部を有するプリンターと、を備えることを特徴とする。
本発明の印刷方法は、第１の方向に第１の解像度のテキストの情報を含む第１の画像データを生成し、生成された第１の画像データに含まれるテキストの情報を解析し、解析結果に基づいて、第１の方向に第１の解像度と異なる第２の解像度の解析されたテキストの情報を含む第２の画像データを生成し、生成された第２の画像データを第２の解像度で印刷することを特徴とする。
なお、以下の構成としても良い。
本発明の画像処理装置は、テキストの情報を含む第１の方向に第１の解像度の第１の画像データを取得する画像データ取得部と、画像データ取得部で取得された第１の画像データに含まれるテキストの情報を解析するテキスト解析部と、テキスト解析部で解析された解析結果に基づいて、テキストの情報を含む第１の方向に第２の解像度の第２の画像データを生成する画像データ生成部と、を備えることを特徴とする。